(57)【特許請求の範囲】
【請求項１】
符号分割多重接続通信システムにおける基地局内のアクセスチャンネルメッセージ通信装置において、
逆方向アクセスチャンネルメッセージを拡散するための拡散符号を表す情報を含む制御メッセージを発生する制御メッセージ発生器と、
前記制御メッセージを順方向共用チャンネル上へ伝送する順方向共用チャンネル送信器と、を含み、
前記拡散符号情報は、移動局が基地局と独占的に通信するための情報である符号分割多重接続通信システムにおける基地局内のアクセスチャンネルメッセージ通信装置。
【請求項２】
前記拡散符号情報が、アクセスチャンネル番号である請求項１に記載の符号分割多重接続通信システムにおける基地局内のアクセスチャンネルメッセージ通信装置。
【請求項３】
前記移動局が前記アクセスチャンネル番号に該当するアクセスチャンネルロングコードマスクを使用する間、前記基地局は、異なる移動局に前記同一なアクセスチャンネル番号を割り当てないことにより、前記移動局間のメッセージ衝突を防止する請求項２に記載の符号分割多重接続通信システムにおける基地局内のアクセスチャンネルメッセージ通信装置。
【請求項４】
前記拡散符号情報が、移動局のＥＳＮ(Electronic Serial Number)の使用により生成されたパブリックロングコードの使用を表す請求項１に記載の符号分割多重接続通信システムにおける基地局内のアクセスチャンネルメッセージ通信装置。
【請求項５】
前記拡散符号情報が、メッセージ衝突を防止するために予め準備された特定なロングコード識別子である請求項１に記載の符号分割多重接続通信システムにおける基地局内のアクセスチャンネルメッセージ通信装置。
【請求項６】
前記移動局が前記特定なロングコード識別子に該当するアクセスチャンネルロングコードマスクを使用する間、前記基地局は、異なる移動局に前記同一なロングコード識別子を割り当てないことにより、前記移動局間のメッセージ衝突を防止する請求項５に記載の符号分割多重接続通信システムにおける基地局内のアクセスチャンネルメッセージ通信装置。
【請求項７】
前記制御メッセージが、前記拡散符号の最大使用時間を表示する情報をさらに含む請求項２〜請求項６のうちのいずれか１項に記載の符号分割多重接続通信システムにおける基地局内のアクセスチャンネルメッセージ通信装置。
【請求項８】
逆方向アクセスチャンネル上のメッセージを受信し、前記制御メッセージに対する応答メッセージの受信のとき、前記拡散符号情報に基づいた拡散符号を発生し、前記発生された拡散符号で前記逆方向アクセスチャンネルメッセージを逆拡散するチャンネル受信器をさらに含む請求項１に記載の符号分割多重接続通信システムにおける基地局内のアクセスチャンネルメッセージ通信装置。
【請求項９】
符号分割多重接続通信システムにおける移動局内のアクセスチャンネルメッセージ通信装置において、
順方向共用チャンネル上へ受信された制御メッセージに含まれた割り当てられた拡散符号を表す情報を分析する制御メッセージアナライザーと、
前記拡散符号情報に基づいた拡散符号を発生する拡散符号発生器と、
逆方向アクセスチャンネルメッセージを前記拡散符号で拡散して伝送するアクセスチャンネル送信器と、から構成され
前記移動局が前記逆方向アクセスチャンネルメッセージを拡散するとき、前記割り当てられた拡散符号は、前記移動局が基地局と独占的に通信するために使用される符号分割多重接続通信システムにおける移動局内のアクセスチャンネルメッセージ通信装置。
【請求項１０】
前記拡散符号情報がアクセスチャンネル番号であり、前記拡散符号発生器が、前記アクセスチャンネル番号に該当するアクセスチャンネルロングコードマスクを使用して前記拡散符号を発生する請求項９に記載の符号分割多重接続通信システムにおける移動局内のアクセスチャンネルメッセージ通信装置。
【請求項１１】
前記割り当てられた拡散符号が、移動局のＥＳＮ(Electronic Serial Number)の使用により生成されたパブリックロングコードの使用を表す請求項９に記載の符号分割多重接続通信システムにおける移動局内のアクセスチャンネルメッセージ通信装置。
【請求項１２】
前記割り当てられた拡散符号が、メッセージ衝突を防止するために予め準備された特定なロングコード識別子であり、前記拡散符号発生器が、前記特定なロングコード識別子に該当するロングコードを使用して拡散符号を発生する請求項９に記載の符号分割多重接続通信システムにおける移動局内のアクセスチャンネルメッセージ通信装置。
【請求項１３】
前記制御メッセージが前記拡散符号の最大使用時間を表す情報をさらに含む請求項１０〜１２のうちのいずれか１項に記載の符号分割多重接続通信システムにおける移動局内のアクセスチャンネルメッセージ通信装置。
【請求項１４】
前記移動局が前記逆方向アクセスチャンネルメッセージを伝送すべきであるとき、前記逆方向アクセスチャンネルメッセージを拡散するための拡散符号の割当てを要求するメッセージを発生するメッセージ発生器をさらに含む請求項９に記載の符号分割多重接続通信システムにおける移動局内のアクセスチャンネルメッセージ通信装置。
【請求項１５】
前記拡散符号発生器がパブリックロングコードを使用して前記拡散符号を発生する請求項１４に記載の符号分割多重接続通信システムにおける移動局内のアクセスチャンネルメッセージ通信装置。
【請求項１６】
前記逆方向制御メッセージが所定な時間間隔で前記基地局へ伝送される請求項９に記載の符号分割多重接続通信システムにおける移動局内のアクセスチャンネルメッセージ通信装置。
【請求項１７】
符号分割多重接続通信システムにおけるアクセスチャンネルメッセージ通信装置において、
逆方向アクセスチャンネルメッセージを拡散するための拡散符号を表す情報を含む制御メッセ-ジを発生する制御メッセージ発生器と、前記制御メッセージを順方向共用チャンネル上へ伝送する順方向共用チャンネル送信器とを含む基地局と、
前記順方向共用チャンネル上へ受信された制御メッセージに含まれた割り当てられた拡散符号を表す情報を分析する制御メッセージアナライザーと、前記拡散符号情報に基づいた拡散符号を発生する拡散符号発生器と、逆方向アクセスチャンネルメッセージを前記拡散符号で拡散して伝送するチャンネル送信器とを含む移動局と、からなり、
前記移動局が前記逆方向アクセスチャンネルメッセージを拡散するとき、前記拡散符号情報は、前記移動局が前記基地局と独占的に通信するために使用されることを特徴とする符号分割多重接続通信システムにおけるアクセスチャンネルメッセージ通信装置。
【請求項１８】
前記拡散符号情報がアクセスチャンネル番号である請求項１７に記載の符号分割多重接続通信システムにおけるアクセスチャンネルメッセージ通信装置。
【請求項１９】
前記移動局が前記アクセスチャンネル番号を使用している間、前記基地局が異なる移動局に前記同一なアクセスチャンネル番号を割り当てない請求項１８に記載の符号分割多重接続通信システムにおけるアクセスチャンネルメッセージ通信装置。
【請求項２０】
前記拡散符号情報が、移動局のＥＳＮ(Electronic Serial Number)の使用により生成されたパブリックロングコードの使用を表す請求項１７に記載の符号分割多重接続通信システムにおけるアクセスチャンネルメッセージ通信装置。
【請求項２１】
前記拡散符号情報が、メッセージ衝突を防止するために予め準備された特定なロングコード識別子である請求項１７に記載の符号分割多重接続通信システムにおける基地局内のアクセスチャンネルメッセージ通信装置。
【請求項２２】
前記制御メッセージは、前記拡散符号の最大使用時間を表す情報をさらに含む請求項１８〜２１のうちのいずれか１項に記載の符号分割多重接続通信システムにおけるアクセスチャンネルメッセージ通信装置。
【請求項２３】
前記基地局が、逆方向アクセスチャンネル上のメッセージを受信し、前記制御メッセージに対する応答メッセージの受信のとき、前記拡散符号情報に基づいた拡散符号を発生し、前記発生された拡散符号で前記逆方向アクセスチャンネルメッセージを逆拡散するチャンネル受信器をさらに含む請求項１７に記載の符号分割多重接続通信システムにおけるアクセスチャンネルメッセージ通信装置。
【請求項２４】
前記移動局が、逆方向アクセスチャンネルメッセージを伝送すべきであるとき、前記逆方向アクセスチャンネルメッセージを拡散するための拡散符号の割当てを要求するメッセージを発生するメッセージ発生器をさらに含む請求項１７に記載の符号分割多重接続通信システムにおけるアクセスチャンネルメッセージ通信装置。
【請求項２５】
前記拡散符号発生器が、パブリックロングコードを使用して拡散符号を発生する請求項２４に記載の符号分割多重接続通信システムにおけるアクセスチャンネルメッセージ通信装置。
【請求項２６】
前記基地局が前記移動局からの順方向共用チャンネルメッセージに対する速い応答を必要とするとき、前記制御メッセージ発生器は、逆方向アクセスチャンネル上へ応答メッセージを拡散するための拡散符号を表す情報を含む制御メッセージを発生する請求項１７に記載の符号分割多重接続通信システムにおけるアクセスチャンネルメッセージ通信装置。
【請求項２７】
前記拡散符号情報がアクセスチャンネル番号であり、前記拡散符号発生器が、前記アクセスチャンネル番号に該当するアクセスチャンネルロングコードマスクを使用して拡散符号を発生し、前記移動局が前記アクセスチャンネル番号を使用する間、前記基地局が異なる移動局に前記同一なアクセスチャンネル番号を割り当てないことにより、前記移動局間のメッセージ衝突を防止する請求項２６に記載の符号分割多重接続通信システムにおけるアクセスチャンネルメッセージ通信装置。
【請求項２８】
前記拡散符号情報が、メッセージ衝突を防止するために予め準備された特定なロングコード識別子であり、前記拡散符号発生器が、前記特定なロングコード識別子に該当するロングコードを使用して拡散符号を発生する請求項２６に記載の符号分割多重接続通信システムにおけるアクセスチャンネルメッセージ通信装置。
【請求項２９】
符号分割多重接続通信システムにおける基地局のアクセスチャンネルメッセージ通信方法において、
逆方向アクセスチャンネルメッセージを拡散するための拡散符号を表す情報を含む制御メッセージを発生するステップと、
前記制御メッセージを順方向共用チャンネル上へ伝送するステップと、からなり、
移動局が前記逆方向アクセスチャンネルメッセージを拡散するとき、前記拡散符号情報は、１つの移動局が前記基地局と独占的に通信するために使用されることを特徴とする符号分割多重接続通信システムにおける基地局のアクセスチャンネルメッセージ通信方法。
【請求項３０】
前記拡散符号情報がアクセスチャンネル番号である請求項２９に記載の符号分割多重接続通信システムにおける基地局のアクセスチャンネルメッセージ通信方法。
【請求項３１】
前記移動局が前記アクセスチャンネル番号に該当するアクセスチャンネルロングコードマスクを使用する間、前記基地局は、異なる移動局に前記同一なアクセスチャンネル番号を割り当てないことにより、前記移動局間のメッセージ衝突を防止する請求項３０に記載の符号分割多重接続通信システムにおける基地局のアクセスチャンネルメッセージ通信方法。
【請求項３２】
前記拡散符号情報が、前記移動局のＥＳＮ(Electronic Serial Number)の使用により生成されたパブリックロングコードの使用を表す請求項３０に記載の符号分割多重接続通信システムにおける基地局のアクセスチャンネルメッセージ通信方法。
【請求項３３】
前記拡散符号情報が、メッセージ衝突を防止するために予め準備された特定なロングコード識別子である請求項３０に記載の符号分割多重接続通信システムにおける基地局のアクセスチャンネルメッセージ通信方法。
【請求項３４】
前記移動局が前記特定なロングコード識別子に該当するアクセスチャンネルロングコードマスクを使用する間、前記基地局は、異なる移動局に前記同一なロングコード識別子を割り当てないことにより、前記移動局間のメッセージ衝突を防止する請求項３３に記載の符号分割多重接続通信システムにおける基地局のアクセスチャンネルメッセージ通信方法。
【請求項３５】
前記制御メッセージが、前記拡散符号の最大使用時間を表す情報をさらに含む請求項３０〜請求項３４のうちのいずれか１項に記載の符号分割多重接続通信システムにおける基地局のアクセスチャンネルメッセージ通信方法。
【請求項３６】
逆方向アクセスチャンネル上のメッセージを受信し、前記制御メッセージに対する応答メッセージの受信のとき、前記拡散符号情報に基づいた拡散符号を発生し、前記発生された拡散符号で前記逆方向アクセスチャンネルメッセージを逆拡散するステップをさらに含む請求項２９に記載の符号分割多重接続通信システムにおける基地局のアクセスチャンネルメッセージ通信方法。
【請求項３７】
符号分割多重接続通信システムにおける移動局のアクセスチャンネルメッセージ通信方法において、
順方向共用チャンネル上へ受信された制御メッセージに含まれた割り当てられた拡散符号を表す情報を分析するステップと、
前記拡散符号情報に基づいた拡散符号を発生するステップと、
逆方向アクセスチャンネルメッセージを前記拡散符号で拡散して伝送するステップと、からなり、
前記移動局が前記逆方向共用アクセスチャンネルメッセージを拡散するとき、前記割り当てられた拡散符号は、前記移動局が前記基地局と独占的に通信するために使用されることを特徴とする符号分割多重接続通信システムにおける移動局のアクセスチャンネルメッセージ通信方法。
【請求項３８】
前記割り当てられた拡散符号がアクセスチャンネル番号であり、前記アクセスチャンネル番号に該当するアクセスチャンネルロングコードマスクを使用して前記拡散符号を発生する請求項３７に記載の符号分割多重接続通信システムにおける移動局のアクセスチャンネルメッセージ通信方法。
【請求項３９】
前記割り当てられた拡散符号が、前記移動局のＥＳＮ(Electronic Serial Number)の使用により生成されたパブリックロングコードの使用を表す請求項３７に記載の符号分割多重接続通信システムにおける移動局のアクセスチャンネルメッセージ通信方法。
【請求項４０】
前記割り当てられた拡散符号が、メッセージ衝突を防止するために予め準備された特定なロングコード識別子であり、前記特定なロングコード識別子に該当するロングコードを使用して拡散符号を発生する請求項３７に記載の符号分割多重接続通信システムにおける移動局のアクセスチャンネルメッセージ通信方法。
【請求項４１】
前記制御メッセージが、前記拡散符号の最大使用時間を表す情報をさらに含む請求項３８〜４０のうちのいずれか１項に記載の符号分割多重接続通信システムにおける移動局のアクセスチャンネルメッセージ通信方法。
【請求項４２】
前記移動局が前記逆方向アクセスチャンネルメッセージを伝送すべきであるとき、前記逆方向アクセスチャンネルメッセージを拡散するための拡散符号の割当てを要求するメッセージを発生するステップをさらに含む請求項３７に記載の符号分割多重接続通信システムにおける移動局のアクセスチャンネルメッセージ通信方法。
【請求項４３】
前記拡散符号がパブリックロングコードを利用して発生される請求項４２に記載の符号分割多重接続通信システムにおける移動局のアクセスチャンネルメッセージ通信方法。
【請求項４４】
前記逆方向制御メッセージが、所定な時間間隔で前記基地局へ伝送される請求項３７に記載の符号分割多重接続通信システムにおける移動局のアクセスチャンネルメッセージ通信方法。
【請求項４５】
符号分割多重接続通信システムにおけるアクセスチャンネルメッセージ通信方法において、
基地局が逆方向アクセスチャンネルメッセージを拡散するための拡散符号を表す情報を含む制御メッセ-ジを発生するステップと、
前記基地局が前記制御メッセージを順方向共用チャンネル上へ伝送するステップと、
移動局が前記順方向共用チャンネル上へ受信された前記制御メッセージに含まれた割り当てられた拡散符号を表す情報を分析するステップと、
前記移動局が前記拡散符号情報に基づいた拡散符号を発生するステップと、
前記移動局が前記逆方向アクセスチャンネルメッセージを前記拡散符号で拡散して伝送するステップとからなり、
前記拡散符号情報は、前記移動局が前記逆方向共用アクセスチャンネルメッセージを拡散するとき、前記移動局が前記基地局と独占的に通信するために使用されることを特徴とする符号分割多重接続通信システムにおけるアクセスチャンネルメッセージ通信方法。
【請求項４６】
前記拡散符号情報がアクセスチャンネル番号である請求項４５に記載の符号分割多重接続通信システムにおけるアクセスチャンネルメッセージ通信方法。
【請求項４７】
前記移動局が前記アクセスチャンネル番号を使用している間、前記基地局が異なる移動局に前記同一なアクセスチャンネル番号を割り当てないステップをさらに含む請求項４６に記載の符号分割多重接続通信システムにおけるアクセスチャンネルメッセージ通信方法。
【請求項４８】
前記拡散符号情報が、前記移動局のＥＳＮ(Electronic Serial Number)の使用により生成されたパブリックロングコードの使用を表す請求項４５に記載の符号分割多重接続通信システムにおけるアクセスチャンネルメッセージ通信方法。
【請求項４９】
前記拡散符号情報が、メッセージ衝突を防止するために予め準備された特定なロングコード識別子である請求項４５に記載の符号分割多重接続通信システムにおけるアクセスチャンネルメッセージ通信方法。
【請求項５０】
前記制御メッセージは、前記拡散符号の最大使用時間を表す情報をさらに含む請求項４６〜４９のうちのいずれか１項に記載の符号分割多重接続通信システムにおけるアクセスチャンネルメッセージ通信方法。
【請求項５１】
前記基地局が、逆方向アクセスチャンネル上のメッセージを受信し、前記制御メッセージに対する応答メッセージの受信のとき、前記拡散符号情報に基づいた拡散符号を発生し、前記発生された拡散符号で前記逆方向アクセスチャンネルメッセージを逆拡散するステップをさらに含む請求項４５に記載の符号分割多重接続通信システムにおけるアクセスチャンネルメッセージ通信方法。
【請求項５２】
前記移動局が前記逆方向アクセスチャンネルメッセージを伝送すべきであるとき、前記移動局が前記逆方向アクセスチャンネルメッセージを拡散するための拡散符号の割当てを要求するメッセージを発生するステップをさらに含む請求項４５に記載の符号分割多重接続通信システムにおけるアクセスチャンネルメッセージ通信方法。
【請求項５３】
前記拡散符号がパブリックロングコードを利用して拡散符号を発生する請求項５２に記載の符号分割多重接続通信システムにおけるアクセスチャンネルメッセージ通信方法。
【請求項５４】
前記基地局が前記移動局からの順方向共用チャンネルメッセージに対する速い応答を必要とするとき、前記逆方向アクセスチャンネル上の応答メッセージを拡散するための拡散符号を表す情報を含む制御メッセージを発生する請求項４５に記載の符号分割多重接続通信システムにおけるアクセスチャンネルメッセージ通信方法。
【請求項５５】
前記拡散符号情報がアクセスチャンネル番号であり、前記拡散符号発生器が前記アクセスチャンネル番号に該当するアクセスチャンネルロングコードマスクを使用して拡散符号を発生し、前記移動局が前記アクセスチャンネル番号を使用する間、前記基地局は、異なる移動局に前記同一なアクセスチャンネル番号を割り当てないことにより、前記移動局間のメッセージ衝突を防止する請求項５４に記載の符号分割多重接続通信システムにおけるアクセスチャンネルメッセージ通信方法。
【請求項５６】
前記拡散符号情報が、メッセージ衝突を防止するために予め準備された特定なロングコード識別子であり、前記特定なロングコード識別子に該当するロングコードを使用して拡散符号を発生する請求項５４に記載の符号分割多重接続通信システムにおけるアクセスチャンネルメッセージ通信方法。
【発明の詳細な説明】
【０００１】
【発明の属する技術分野】
本発明は、一般的に無線通信システムに関するもので、特に、マルチメディア通信システムにおいて、逆方向共用チャンネル（Ｃｏｍｍｏｎ Ｃｈａｎｎｅｌ）メッセージを一時的に専用に指定されたチャンネル（衝突のないチャンネル）上へ伝送するための装置及び方法に関する。
【０００２】
【従来の技術】
一般に、ＴＩＡ／ＥＩＡ／ＩＳ−９５標準に基づいた通信システムにおいて、ボイスコール（ｖｏｉｃｅ ｃａｌｌ）が設定される前基地局と移動局との間にデータのやり取りのために、共用チャンネルである順方向ページングチャンネル（Ｆｏｒｗａｒｄ Ｐａｇｉｎｇ Ｃｈａｎｎｅｌ）及び逆方向アクセスチャンネル（Ｒｅｖｅｒｓｅ Ａｃｃｅｓｓ Ｃｈａｎｎｅｌ）を使用する。すなわち、専用チャンネルの連結されていない状態では、まず前記基地局から移動局へメッセージを伝送する場合、前記基地局はページングチャンネルを通じてメッセージを伝送し、アクセスチャンネルを通じて応答を受信する。そして、前記移動局から基地局へメッセージを伝送する場合、前記移動局はアクセスチャンネルを通じてメッセージを伝送し、ページングチャンネルを通じて応答を受信する。前記ページングチャンネルとアクセスチャンネルは多数存在でき、前記夫々のページングチャンネルは、特定のウォルシュコード（Ｗａｌｓｈ Ｃｏｄｅ）により区別され、前記夫々のアクセスチャンネルは、アクセスチャンネルロングコードマスクにより生成されるロングコード（Ｌｏｎｇ Ｃｏｄｅ）により区別される。
【０００３】
図１Ａ及び図１Ｂは、基地局と移動局との間のメッセージを共用チャンネルを通じて伝送する動作を示す。
【０００４】
図１Ａを参照すると、基地局がページングチャンネルを通じて制御メッセージを伝送すると、該当移動局は、アクセスチャンネルを通じて応答メッセージを伝送する。もしも、前記移動局が前記アクセスチャンネルを通じて制御メッセージを伝送すると、前記基地局は、ページングチャンネルを通じて移動局へ応答メッセージを伝送する。図１Ｂを参照すると、メッセージ交換の後、前記移動局は、前記アクセスチャンネルを通じて前記基地局へアクセスチャンネルメッセージを伝送する。
【０００５】
従来のアクセスチャンネル通信方法は、トラヒック量の多くないボイスコールの処理に適合である。このとき、同一のロングコードを使用する移動局が前記アクセスチャンネルを通じてメッセージを同時に伝送すると、前記アクセスチャンネルでメッセージ衝突（ｃｏｎｔｅｎｔｉｏｎ）が発生して前記メッセージを損失するようになる。これは、衝突に基づいたランダムアクセス（ｃｏｎｔｅｎｔｉｏｎ−ｂａｓｅｄ ｒａｎｄｏｍ ａｃｃｅｓｓ）方式であるとよく呼ばれる。
【０００６】
前記のように、アクセスチャンネルでメッセージ衝突のとき、前記移動局はアクセスチャンネル上のメッセージ伝送を再び試みなければならない。
【０００７】
このような場合、夫々の移動局は、割り当てられたロングコードを利用して前記アクセスチャンネルを通じてメッセージを伝送し、そして、衝突が発生した場合は、夫々の移動局は、所定の時間の経過後メッセージ発生を感知し、ランダムに遅延（ｒａｎｄｏｍｉｚｅｄ ｄｅｌａｙ）された後メッセージ伝送を再び行う。また、前記移動局は、所定の電力レベルで基地局をアクセスするための初期試みを遂行し、もしも、基地局からの応答が受信できなかった場合、電力をやや増加させてアクセスを試み、このような方法にて定められた回数だけアクセスチャンネルをアクセスする試みを反復する。このようにしても応答のない場合は、はじめから前記のような手順を通じてアクセスする方式を使用する。このようなアクセスチャンネルを通じたメッセージの伝送は、アクセスチャネルスロット及びアクセスチャンネルフレーム単位で行われる。
【０００８】
図８は、移動局がアクセスチャンネルを通じてメッセージ伝送を遂行する手順を示す。
【０００９】
１つのメッセージを伝送し、これに対する応答を受信または受信できないすべての過程をアクセス試み（Ａｃｃｅｓｓ Ａｔｔｅｍｐｔ）と呼び、アクセス試みにおいてそれぞれの伝送をアクセスプローブ（Ａｃｃｅｓｓ Ｐｒｏｂｅ）と呼ぶ。アクセスプローブとは、移動局がシステムへのアクセスをはじめに試みるとき使用された漸次高くなる電力の一連の伝送を意味する。
【００１０】
それぞれのアクセスプローブは、プリアンブル（Ｐｒｅａｍｂｌｅ）及びメッセージカプセル（Ｍｅｓｓａｇｅ Ｃａｐｓｕｌｅ）で構成される。アクセス試みの範囲内で、アクセスプローブは、アクセスプローブシーケンス（Ａｃｃｅｓｓ Ｐｒｏｂｅ Ｓｅｑｕｅｎｃｅ）にグループが形成される。夫々のアクセスプローブシーケンスは、アクセスプローブの所定数（Ｍａｘ＿Ｐｒｏｂｅ＿Ｎｏ）を含み、全体のアクセス試みは、アクセスプローブシーケンスの所定数（Ｍａｘ＿Ｓｅｑｕｅｎｃｅ＿Ｎｏ）からなる。夫々のアクセスプローブシーケンス内の第１アクセスプローブは、相対的に低いレベルの初期電力（Ｉｎｉｔｉａｌ Ｐｏｗｅｒ）で伝送される。夫々の連続アクセスプローブは、以前のアクセスプローブより漸次的に高くなる電力レベルで伝送される。アクセスプローブシーケンス間の時間間隔（ＲＳ）は、ランダム関数で決定される。アクセスプローブシーケンスのアクセスプローブ間の時間間隔（ＴＡ＋ＲＴ）もランダム関数で決定される。夫々のアクセスプローブの伝送後、所定の時間（ＴＡ）の間移動局は基地局からの応答を待機する。応答が受信されるとアクセス試みが成功的に終わり、応答が受信されないと次のアクセスプローブはランダム時間（ＲＴ）の後伝送される。
【００１１】
前記のような共用チャンネルのロングコードの共有方法を説明すると、前記移動局は、使用可能なすべてのロングコード（アクセスチャンネルロングコード）のうちでハッシュ関数（Ｈａｓｈ ｆｕｎｃｔｉｏｎ）を利用して動作の初期に使用するロングコードを決定する。このような方法は、すべての移動局がアクセスチャンネルのロングコードを公正に共有するようにする。前記移動局にアクセスチャンネルを使用するクラスを決定したい場合、初期試み時間と失敗する場合の次の試み時間との平均を調整する。
【００１２】
また、データサービスが移動局から発生する場合（ＭＳ ｏｒｉｇｉｎａｔｉｏｎ）または基地局から発生する場合（ＢＳ ｏｒｉｇｉｎａｔｉｏｎ）に従って、前記アクセスチャンネルを通じて伝送された２タイプのメッセージがある。すなわち、移動局により自律的に伝送されたメッセージ及び基地局（すなわち、ページングチャンネル）メッセージに応答する応答メッセージである。前記２つのメッセージは、論理的に同等なレベルに取り扱われる。前記移動局は、移動局が自体的に発生させたメッセージ及びページング応答メッセージをハッシュ関数により決定されたアクセスチャンネルロングコードを使用して伝送する。
【００１３】
そして、従来の通信システムにおいて、アクセスチャンネルのビットレートは固定されている。ＩＳ−９５標準のように、アクセスチャンネルメッセージは、上位レイヤ及び物理プロトコルに従って発生される。付け加えて、メッセージは、移動局が決定したアクセスチャンネルロングコードにより拡散される。
【００１４】
しかし、従来の通信システムにおいて、データサービスのための共用チャンネルをアクセスする方法は次のような問題がある。
（１） ランダムアクセス（Ｒａｎｄｏｍ Ａｃｃｅｓｓ）−ランダムアクセスに基づいた衝突によりアクセスチャンネルを得る方式であるので、同一のロングコードを通じたメッセージの伝送は、メッセージの衝突を発生させ、これにより、メッセージが失うことができる。メッセージ衝突が発生すると、任意時間の後、移動局は、前記アクセスチャンネル上へメッセージ伝送を再び試みる。これは、前記アクセスチャンネルの獲得に必要な時間が予測できない。これにより、平均メッセージの伝送時間、伝送時間の変化幅、及び移動局の電力消耗量が大きくなる。
（２） ロングコード共有（Ｌｏｎｇ Ｃｏｄｅ Ｓｈａｒｉｎｇ）−共用チャンネルの使用可能なロングコードを均等に分配するので、各移動局がアクセスチャンネルの使用のとき発生する衝突に対する確立が個別的に制御できない。しかし、データサービスのとき比較的時間制約に厳しくないデータを通信する移動局と動画像のような実時間の処理データを処理する移動局は、共用チャンネルのアクセスを差別化することが望ましい。このような場合、実時間データを要する移動局に対して迅速に共用チャンネルがアクセスできるようにロングコードを分配することが望ましいが、従来のロングコード共有方法は均等分配方式を使用するので、このような特別なデータサービスが遂行できない。
（３） 移動局のクラス割当て（Ｍｏｂｉｌｅ Ｓｔａｔｉｏｎ Ｃｌａｓｓ Ａｓｓｉｇｎｍｅｎｔ）−夫々の移動局がアクセスチャンネルの使用のとき衝突確率の制御が不能であるので、共用チャンネルのアクセスに対する移動局のクラス割当てが不能である。
（４） 制御メッセージ発生パート（ＭＳ ｉｎｉｔｉａｔｉｏｎ及びＢＳ ｉｎｉｔｉａｔｉｏｎ）の区別が不能である。すなわち、移動局から自体的に発生したメッセージについて、基地局メッセージに対する応答メッセージにアクセスチャンネル要求の優先順位の割当てが不能である。または、逆の場合も同様である。
（５） 移動局は、一般的にサービス優先順位により分類される。しかし、基地局から発生したメッセージ（ＢＳ ｉｎｉｔｉａｔｅｄ ｍｅｓｓａｇｅ）に対する応答メッセージを同等に取扱うために、各応答メッセージ間のクラス割当てが不能である。
（６） 前記アクセスチャンネルの固定された伝送率（Ｔｈｅ ｆｉｘｅｄ Ｔｒａｎｓｍｉｓｓｉｏｎ ｒａｔｅ ｏｆ ｔｈｅ ａｃｃｅｓｓ ｃｈａｎｎｅｌ）−これは、前記アクセスチャンネル上の長いメッセージの伝送時間を増加させる。これにより、アクセスチャンネルの占有時間が長くなって衝突確率を増加させる。
【００１５】
【発明が解決しようとする課題】
従って、本発明の目的は、通信システムにおいて、データサービスを支援するための共用チャンネルの伝送遅延を減少させ、伝送効率が増大できる共用チャンネル通信装置及び方法を提供することにある。
【００１６】
本発明の他の目的は、通信システムにおいて、データ通信の時多様な形態のユーザーデータを伝送するユーザークラスを調整して共用チャンネルがアクセスできる装置及び方法を提供することにある。
【００１７】
本発明のまた他の目的は、通信システムにおいて、データ通信の時基地局から発生したデータを移動局から発生したデータより高い優先順位で処理できる装置及び方法を提供することにある。
【００１８】
本発明のさらに他の目的は、通信システムにおいて、一度に伝送可能な長さを超過する共用チャンネルメッセージを指定された特定の共用チャンネル上へ連続して伝送できる装置及び方法を提供することにある。
【００１９】
本発明のなお他の目的は、メッセージ衝突を防止するために、基地局の指定したコードで伝送のための逆方向共用チャンネルメッセージが拡散できる装置及び方法を提供することにある。
【００２０】
【課題を解決するための手段】
前記のような目的を達成するために、本発明は、符号分割多重接続通信システムにおける共用チャンネルメッセージ通信装置及び方法を提供する。前記共用チャンネルメッセージ通信装置の基地局において、制御メッセージ発生器が、逆方向共用チャンネルメッセージを拡散するための拡散符号を表す情報を含む制御メッセ−ジを発生し、順方向共用チャンネル送信器が、前記制御メッセージを順方向共用チャンネル上へ伝送する。移動局において、制御メッセージ解析器が、前記順方向共用チャンネル上へ受信された制御メッセージに含まれた割り当てられた拡散符号を表す情報を分析し、拡散符号発生器が、前記拡散符号情報に基づいた拡散符号を発生し、そして、チャンネル送信器が、逆方向共用チャンネルメッセージを前記拡散符号で拡散して伝送する。
【００２１】
【発明の実施の形態】
以下、本発明に従う好適な実施形態を添付図面を参照しつつ詳細に説明する。なお、本発明の下記説明において、アクセスチャンネル用ロングコード、サービスタイプ、及び時間（ｔｉｍｅ ｄｕｒａｔｉｏｎ）などの特定詳細は、本発明の内容に対する包括的な理解のために提供される。これら特定詳細がなくとも、そしてこれらの変形によっても本発明が容易に実施可能であることは、該当技術分野における通常の知識を有する者には自明なことであろう。また、アクセスチャンネルの特定の方式であるパケットアクセスチャンネルについて説明しているが、従来システムにおけるサーキットボイスサービス（ｃｉｒｃｕｉｔ ｖｏｉｃｅ ｓｅｒｖｉｃｅ）のような一般的なアクセスチャンネルも本発明に適用可能である。
【００２２】
本発明で使用される“データ”とは、とりわけ、パケットデータ、サーキットボイス、及びシグナリングなどをすべて含むこととする。
【００２３】
また、パケット共用チャンネル（Ｐａｃｋｅｔ Ｃｏｍｍｏｎ Ｃｈａｎｎｅｌ）は、通信システムのパケットデータを通信するとき、高速データの伝送が収容できる新たな共用チャンネルとして使用される。前記パケット共用チャンネルは、高速データサービスの実現のために、パケットアクセスチャンネルのチャンネル識別者コードを動的に割り当てる。ここで、前記“チャンネル識別者コード”はロングコードと仮定する。そして、“パケットデータ”とは、動画像（Ｖｏｉｃｅ Ｄａｔａ）及び音声のような実時間データ（ｒｅａｌ ｔｉｍｅ ｄａｔａ）だけでなく、テキストなどのような一般データをすべて含む。前記“パケット共用チャンネル”及び“パケットアクセスチャンネル”は、従来（すなわち、ｎｏｎ−ｐａｃｋｅｔ）のアクセスチャンネル及び共用制御チャンネルを含むために、それぞれ“共用チャンネル”及び“アクセスチャンネル”という広い概念の用語に使用される。
【００２４】
本発明の実施形態では、一番目、高速のパケットデータサービスのために共用チャンネルの伝送遅延を減少させる。すなわち、高速データサービスにおいて資源を効率的に使用するために、データが所定の時間の間伝送されない度に、専用チャンネルを使用せず共用チャンネルを使用する状態に入る。音声のみを処理する通信システムにおいて、前記共用チャンネルは移動局と基地局との間に呼の設定される場合、短いメッセージサービス（Ｓｈｏｒｔ Ｍｅｓｓａｇｅ Ｓｅｒｖｉｃｅ）などにのみ使用される。しかし、高速パケットデータサービスでは、共用チャンネルと専用チャンネルとの間の状態遷移がしきりに発生する。従って、本発明は、前記のような状態遷移の環境下で高速パケットデータ通信を遂行するために、減少された伝送遅延で前記共用チャンネル上へメッセージが伝送できる通信方式を提供する。
【００２５】
二番目、共用チャンネルの使用を制御することによりユーザークラスを調整する。前記高速パケットデータサービスでは相対的に実時間処理は低いが、高信頼性の伝送を要求する一般データ、相対的に実時間処理は高いが、伝送の信頼性は低い音声、相対的に実時間処理及び高信頼性の伝送を要求する画像情報などのような多様な形態のユーザーデータが伝送されなければならない。従って、多様な形態のユーザーデータを支援するために、前記共用チャンネルの衝突確率、ビットレート、及び伝送遅延を夫々の移動局に従って個別的に調節できる通信方式を提供する。
【００２６】
三番目、順方向トラヒック（Ｆｏｒｗａｒｄ Ｔｒａｆｆｉｃ）及び逆方向トラヒック（Ｒｅｖｅｒｓｅ Ｔｒａｆｆｉｃ）を区別して共用チャンネルを制御する。前記高速パケットデータサービスでは、通常、基地局から移動局へのトラヒックが移動局から基地局へのトラヒックより相対的に多い。例えば、移動局のユーザーがＷＷＷ（Ｗｏｒｌｄ Ｗｉｄｅ Ｗｅｂ）サービスを利用する場合、各ページの多いデータ量が基地局から移動局へ伝送されるのに反して、かなり少ないデータ量が移動局から基地局へ伝送される。
【００２７】
このような相違を考慮して、共用チャンネルは、基地局から発生したデータが移動局から発生したデータより高い優先順位で処理されられるように使用されなければならない。
【００２８】
本発明の実施形態に従う共用チャンネル通信方法の説明に先立って、共用チャンネルの使用に対する理解を助けるためにパケットサービス状態を調べてみる。
【００２９】
図２は、従来技術に従う通信システムにおけるパケットサービスの状態遷移図である。
【００３０】
図２を参照すると、パケットサービスは、パケット無効状態（ｐａｃｋｅｔ ｎｕｌｌ ｓｔａｔｅ）２１、初期化状態（ｉｎｉｔｉａｌｉｚａｔｉｏｎ ｓｔａｔｅ）２２、動作状態（ａｃｔｉｖｅ ｓｔａｔｅ）２３、制御保持状態（ｃｏｎｔｒｏｌ ｈｏｌｄ ｓｔａｔｅ）２４、保留状態（ｓｕｓｐｅｎｄｅｄ ｓｔａｔｅ）２５、休止状態（ｄｏｒｍａｎｔ ｓｔａｔｅ）２６、及び再連結状態（ｒｅｃｏｎｎｅｃｔ ｓｔａｔｅ）２７から構成される。この中、前記制御保持状態、動作状態、保留状態ではパケットサービスオプション（ｐａｃｋｅｔ ｓｅｒｖｉｃｅ ｏｐｔｉｏｎ）が連結されており、パケット無効状態は、パケットサービスが活性化される前にデフォールト状態である。
【００３１】
前記パケット無効状態でパケットサービスを要求するとき、初期化状態に遷移してパケットサービスに対する連結試みが行われる。このような状態で専用制御チャンネルが設定されると、制御保持状態に遷移する。前記専用制御チャンネルは、ＲＬＰ（Ｒａｄｉｏ Ｌｉｎｋ Ｐｒｏｔｏｃｏｌ）及び（Ｐｏｉｎｔ−ｔｏ−Ｐｏｉｎｔ Ｐｒｏｔｏｃｏｌ）の初期化のために要求される。この後、動作状態へ遷移すると、順方向及び逆方向専用制御チャンネルとトラヒックチャンネルが保持され、前記チャンネルを通じてＲＬＰフレームをやりとりする。もしも、比較的短い非動作（ｉｎａｃｔｉｖｅ）時間が設定される場合、前記無線資源を効率的に使用して移動局の電力を保持するために、保留状態に遷移する。前記保留状態で、専用チャンネルは解除されるが、前記基地局及び移動局がＲＬＰ状態、トラヒックチャンネル割当て、暗号化変数などを含む状態情報を保持しているので、比較的短い時間に再び割り当てられることができる。所定の時間の間データ交換がない場合、前記保留状態２５は休止状態２６に遷移する。前記休止状態２６でＰＰＰ連結のみが保持され、伝送データが発生する場合、再連結状態２７に遷移する。もしも、専用制御チャンネルが設定される場合、前記再連結状態２７から制御保持状態２４に遷移する。前記移動局が保留、パケット無効、初期化、休止、及び再連結状態などのような共用チャンネル状態にある間、順方向リンクのパケットページングチャンネルのモニタリングを行う。前記“パケットページングチャンネル”は、一般的にページングチャンネルと呼ばれる。
【００３２】
前記のように、専用チャンネルの設定されない共用チャンネル使用状態において、前記基地局及び移動局が共用チャンネル（すなわち、ページングチャンネル及びアクセスチャンネル）を通じてメッセージのやり取りを行う。本発明は、共用チャンネル使用状態で、逆方向リンク上のアクセスチャンネルを効率的に使用する方法を提供する。
【００３３】
図３Ａ及び図３Ｂは、本発明の実施形態に従う基地局３４と移動局３６との間で共用チャンネル上のメッセージ伝送を示す。共用チャンネル上へ伝送した順方向制御メッセージ３１は、応答またはシステムアクセス３２のために必要なアクセスチャンネル情報を含む。
【００３４】
図３Ａは、本発明に従う通信システムにおけるメッセージ交換の一実施形態を示す。
【００３５】
前記基地局３４が移動局３６からの応答に必要なロングコード情報で制御メッセージ３１を伝送する場合、前記移動局３６は、前記制御メッセージにより割り当てられたロングコードに該当する専用または共用チャンネルを通じて前記基地局へ応答メッセージ３２を伝送する。
【００３６】
図３Ｂは、本発明に従う通信システムにおけるメッセージ交換の他の実施形態を示す。
【００３７】
前記基地局３４がアクセスチャンネルを表すロングコード情報で制御メッセージ３１を伝送する場合、前記移動局３６は、専用または共用アクセスチャンネルを通じて前記基地局へアクセスメッセージ３６を伝送する。
【００３８】
もしも、前記制御メッセージがロングコード使用期間情報を含む場合、使用期間のためのタイマー設定が終了するまで指定されたロングコードの共用チャンネルを持続する。
【００３９】
本発明に従う通信システムは、図３Ａ及び図３Ｂに示したように、本発明の方法に従うメッセージ交換のみならず、図１Ａ及び図１Ｂに示した従来のメッセージ交換を支援する。
【００４０】
図４は、本発明に従う順方向制御メッセージの形式を示す。
【００４１】
制御メッセージフィールド４１は、前記制御メッセージの目的に該当情報を含む。そして、専用／共用フィールド４２は、応答メッセージを伝送するための逆方向チャンネルが専用または共用チャンネルとして指定されるかを表示する。前記専用チャンネルは、１つの特定の移動局が単独に使用できるチャンネルを、共用チャンネルは、１つ以上の移動局が共同に使用できるチャンネルを意味する。
【００４２】
パラメータ存在（Ｐａｒａｍｅｔｅｒ Ｅｘｉｓｔｅｎｃｅ）フィールド４３は、制御メッセージ内にオプョンフィールドが存在するか否かを表示する。例えば、夫々のフィールドに対して１ビットまたは３ビットの表示器を使用する場合、一番目ビットの値が“１”であれば、ロングコードＩＤ（Ｌｏｎｇ Ｃｏｄｅ Ｉｄｅｎｔｉｆｉｅｒ）フィールドの存在を表示する反面、“０”であれば、ロングコードＩＤフィールドの不在を表示する。これと同様に、二番目ビットは、最大区間（Ｍａｘｉｍｕｍ Ｄｕｒａｔｉｏｎ）フィールドが存在するか否かを、三番目ビットは、ビットレート（Ｂｉｔ Ｒａｔｅ）フィールドが存在するか否かを表示する。従って、前記制御メッセージを受信する移動局は、前記パラメータ存在フィールド内の該当ビット値を読み取ることにより、各フィールドが存在するか否かが決定できる。
【００４３】
図４のような構造を有する制御メッセージでパラメータは、ロングコードＩＤ４４、最大使用時間４５、及びビットレート４６である。前記ロングコードＩＤフィールドは、前記移動局が応答メッセージを伝送するようにロングコードを指定するためのオプションフィールドである。前記アクセスチャンネルは、アクセスチャンネルロングコードマスクにより区分されるので、前記ロングコードの指定は、前記アクセスチャンネル番号の指定を意味する。前記最大使用時間フィールドは、割り当てられたロングコードが保持されられる最大使用時間を表示する。すなわち、最大使用時間がＴ秒であれば、前記移動局は、最大Ｔ秒の間割り当てられたロングコードを使用して、前記アクセスチャンネルへアクセス試みが遂行でき、前記基地局もＴ秒の以内にロングコードにより拡散した逆方向チャンネルを受信するために復調器を動作させなければならない。前記ビットレートフィールドは、多重ビットレートが使用される場合、応答またはアクセスメッセージを伝送する逆方向チャンネルに対するビットレートを設定するためのオプションフィールドである。
【００４４】
図５は、本発明の実施形態に従うパケットデータ通信を遂行する移動局のブロック図である。図５を参照すると、受信器５１１は、アンテナを通じて受信されたＲＦ（Ｒａｄｉｏ Ｆｒｅｑｕｅｎｃｙ）信号を基底帯域信号へ変換する。復調器５１３は、受信器５１１から出力される基底帯域信号をオリジナル信号へ復調する。制御メッセージ解析器５１５は、前記復調器５１３から出力される図４のような制御メッセージのフィールドを分析して、該当する共用チャンネル上の通信を制御するための情報を発生する。前記制御メッセージ解析器５１５から出力される情報は、ビットレート、専用／共用、ロングコードＩＤ、及び最大使用時間を含む。
【００４５】
送信制御器５５１は、前記制御メッセージ解析器５１５から共用チャンネル上の専用／共用情報及びアクノリッジメント信号（ａｃｋｎｏｗｌｅｄｇｅｍｅｎｔ ｓｉｇｎａｌ）ＡＣＫを受信する。そして、前記専用／共用情報に従うメッセージ送信手順を決定する。前記送信制御器５５１は、アクセスチャンネルをアクセスするためのアクセスプローブ送信コマンド（ａｃｃｅｓｓ ｐｒｏｂｅ Ｔｘ ｃｏｍｍａｎｄ）をメッセージバッファ５５３に伝送し、該当アクセスプローブ番号に従うアクセスチャンネルの電力レベル（ｐｏｗｅｒ ｌｅｖｅｌ）を送信器５３３に出力する。また、前記送信制御器５５１は、アクノリッジメント信号ＡＣＫの受信のときメッセージバッファ５５３をクリアさせるための制御信号を発生させる。
【００４６】
前記メッセージバッファ５５３は、アクセスチャンネル上へ伝送するための上位階層のアクセスチャンネルメッセージを貯蔵し、前記アクセスプローブ送信コマンドが前記送信制御器５５１から発生する度に内部的に貯蔵されたメッセージを送信し、前記メッセージバッファ５５３は、前記送信制御器５５１からクリア信号の発生のとき内部的に貯蔵されたメッセージをクリアする。
【００４７】
伝送率制御器５２３は、前記制御メッセージ解析器５１５からのビットレート値を受信し、アクセスチャンネルを通じて伝送されたデータの伝送率を制御するための信号を発生させる。メモリ５１９は、専用／共用、ロングコードＩＤ、及び最大使用時間に対する情報を貯蔵する。ロングコード制御器５１７は、前記制御メッセージ解析器５１５から専用／共用、ロングコードＩＤ、及び最大使用時間情報を受信し、前記制御メッセージ解析器５１５及びメモリ５１９から受信された情報に基づいてロングコードを決定する。ロングコード発生器５２１は、ロングコード制御器５１７の制御の下で該当ロングコードを発生させる。ロングコードを発生させるための時間は、最大使用時間情報により決定される。
【００４８】
チャンネルエンコーダ及び直交変調器（ｏｒｔｈｏｇｏｎａｌ ｍｏｄｕｌａｔｏｒ）５２５は、前記伝送率制御器５２３から受信されたビットレートで前記メッセージバッファ５５３から受信されたアクセスチャンネルデータのエンコーディング、反復、及びインタリービングを行うようにして、アクセスチャンネルメッセージ（逆方向共用チャンネルメッセージ）を直交変調する。乗算器５２７及び５２９は、前記ロングコード発生器５２１から受信されたロングコードにそれぞれＰＮシーケンスＰＮ＿Ｉ及びＰＮ＿Ｑを乗じてＰＮシーケンスを発生させる。ＰＮ拡散器５３１は、直交拡散したアクセスチャンネル信号に乗算器５２７及び５２９から受信したＩチャンネル及びＱチャンネル拡散シーケンスを乗じる。送信器５３３は、前記ＰＮ拡散器５３１から受信した拡散アクセスチャンネル信号を送信のためのＲＦ信号へ上向変換（ｕｐｃｏｎｖｅｒｔ）を行う。
【００４９】
前記のような構成を有する移動局の受信器５１１は、ＲＦ信号を受信し、前記復調器５１３は、逆拡散及びデコーディングを通じて受信された信号を復調して制御メッセージを発生させる。そうすると、前記制御メッセージ解析器５１５は、図４に示すように、制御メッセージから専用／共用値を抜き出し、フィールドの内容を分析することにより、ロングコードＩＤ、最大使用時間値、及びビットレートがあるか否かを決定して、存在フィールドの値を抜き出す。これに従って、前記制御メッセージ解析器５１５は、前記専用／共用値及びアクノリッジメント信号ＡＣＫを前記送信制御器５５１へ、前記専用／共用値、ロングコードＩＤ値、及び最大使用時間値を前記ロングコード制御器５１７へ、前記ビットレート値を前記伝送率制御器５２３へ伝送する。
【００５０】
前記送信制御器５５１は、前記制御メッセージ解析器５１５から受信した前記専用／共用値に従って異なるメッセージ送信手順を適用する。すなわち、前記専用／共用値が共用チャンネルを表示する場合、多数の移動局は、共用アクセスチャンネル上にメッセージを伝送しなければならないので、図８のような方法にて共用アクセスチャンネル上にメッセージを伝送する。一方、専用／共用値が専用チャンネルを表示する場合、特定の移動局は、図９に示すように、アクセス試みを遂行することにより、専用アクセスチャンネル上へメッセージを伝送する。前記メッセージバッファ５５３は、前記送信制御器５５１の制御の下でアクセスチャンネルメッセージを伝送し、前記送信器５３３は、前記送信制御器５５１の制御の下でアクセスプローブ番号に該当する電力レベルでアクセスチャンネルメッセージを出力する。前記送信制御器５５１の制御の下で前記アクセスチャンネルメッセージの送信過程については、後述する図８、図９、及び図１１を参照して説明するものとする。
【００５１】
前記メモリ５１９は、本発明の実施形態に従うアクセスチャンネル上へ伝送するために必要な各種パラメータを貯蔵する。
【表１】
0003553500.tif 000002
【００５２】
従って、表１に示されるように、前記メモリ５１９は、使用可能なロングコードＩＤ、専用／共用、及び最大使用時間の情報を貯蔵する。前記ロングコード制御器５２１は、前記制御メッセージ解析器５１５から受信された専用／共用値、ロングコードＩＤ値、及び最大使用時間値と前記メモリ５１９の内に貯蔵された情報とに基づいて、前記ロングコード発生器５２１に発生すべきロングコードを決定する。ここで、前記メモリ５１９は、使用可能なロングコード情報を貯蔵する機能を行う。前記使用可能なロングコードは、一般的な通信システムにおいて、アクセスチャンネルパラメータメッセージにより割り当てられたアクセスチャンネルロングコードマスクと本発明の通信システムにおいて、制御メッセージにより追加的に割り当てられたロングコードＩＤとを含む。
【００５３】
もしも、前記専用／共用値が専用チャンネルを表示し、ロングコードＩＤのない場合、移動局の固有番号（例えば、ＥＳＮ：Ｅｌｅｃｔｒｏｎｉｃ Ｓｅｒｉａｌ Ｎｕｍｂｅｒ）により決定されるロングコード（パブリックロングコードマスクにより生成された）を使用する。ここで、前記基地局は、以前に受信されたメッセージから移動局の固有ロングコードを知っていると仮定する。前記固有ロングコードは、トラヒックチャンネルでも使用されるが、前記アクセスチャンネル及びトラヒックチャンネルが同時に使用されないので、衝突が発生しない。もしも、専用／共用値が専用チャンネルを表示し、ロングコードが与えられる場合、前記逆方向共用チャンネルメッセージを拡散するために、割り当てられたロングコードＩＤから拡散コードを発生させる。ここで、前記ロングコードＩＤが別途に準備されたいくつかのロングコードマスクのうちの１つを表す場合、前記基地局は、前記ロングコードＩＤを他の移動局へ割り当てないのでメッセージ衝突が発生しない。
【００５４】
もしも、専用／共用値が共用チャンネルを表示し、ロングコードＩＤが与えられる場合、割り当てられたロングコードを使用する。前記ロングコードＩＤのない場合は、前記ロングコード制御器５１７に存在するランダム番号生成関数（ｒａｎｄｏｍ ｎｕｍｂｅｒ ｇｅｎｅｒａｔｉｏｎ ｆｕｎｃｔｉｏｎ）により、前記メモリ５１９に貯蔵された使用可能なロングコードの中の１つのロングコードを選択する。
【００５５】
前記制御メッセージ解析器５１５から受信されたロングコードを利用してアクセス試みが失敗した場合、前記ロングコード制御器５１７は、前記メモリ５１９内の使用可能なロングコードの中でランダム番号生成関数により選択されたロングコードを使用することにより、アクセス試みを再び遂行する。従って、制御メッセージ内のロングコード情報のない場合、前記メモリ５１９内の使用可能なロングコードの中で前記ランダム番号生成関数により選択されたロングコードを使用する。
【００５６】
前記ロングコード発生器５２１からＰＮ拡散器５３１へ前記ロングコードを入力する。前記ロングコードＩＤに最大使用時間値が与えられる場合、前記最大使用時間値が示す使用時間が経過すると、該当ロングコードをそれ以上使用しない。この機能は、前記ロングコード制御器５１７内のタイマーを設定することにより遂行される。前記ビットレート制御器５２３は、受信されたビットレート値に基づいてチャンネルエンコーダ及び直交変調器５２５を制御することにより、指定されたビットレートでデータが伝送できる。従って、順方向制御メッセージに対する応答メッセージまたはアクセスチャンネル上のアクセスメッセージを伝送するために、順方向制御メッセージ内のロングコード、ビットレート、及び最大使用時間に対する情報は、逆方向チャンネルパラメータとして反映される。
【００５７】
図６は、本発明の実施形態に従うデータ通信のための基地局のブロック図である。
【００５８】
図６を参照すると、制御メッセージ発生器６１２は、アクセスチャンネル関連情報を含む制御メッセージデータを発生させる。変調器６１６は、送信信号を変調し、送信器６１８は順方向共用チャンネル（例えば、ページングチャンネルまたは順方向共用チャンネル）上の変調された信号をＲＦ信号として伝送する。前記制御メッセージ発生器６１２は、アクセスチャンネル関連情報（すなわち、ロングコードＩＤ、専用／共用、最大使用時間、及びビットレート）を復調制御器６２０へ提供する。前記復調制御器６２０は、前記情報に基づいて復調部６２４を制御して受信器６２６から受信された信号を復調する。第１メモリ６１４は、表２に示されるように、前記制御メッセージ発生器６１２が参照できるように、進行中のサービス、及び各移動局に割り当てられたロングコードＩＤに関する情報を貯蔵する。また、前記第１メモリ６１４は、ロングコードタイプ（専用または共用）、ロングコードが共用である場合ロングコードが使用可能な移動局の数などに関する情報を保持する。第２メモリ６２２は、夫々の復調器６５１〜６５Ｎ内のロングコードの割当て及び使用終了時間を貯蔵することにより、前記復調制御器６２０は、前記情報が参照できる。
【表２】
0003553500.tif 000003
【表３】
0003553500.tif 000004
【００５９】
表２に示されるように、第１メモリ６１４は、自分のサービス領域に入った移動局のサービスタイプ及び移動局に割り当てられた現在ロングコードＩＤに関する情報を貯蔵する。前記サービスタイプは、ＱＯＳ（Ｑｕａｌｉｔｙ Ｏｆ Ｓｅｒｖｉｃｅ）を表す。そして、表３に示されるように、前記第２メモリ６２２は、前記復調器６５１〜６５Ｎの使用しているロングコードＩＤ、専用／共用、最大使用時間、及びビットレートに関する情報を貯蔵する。前記制御メッセージ発生器６１２は、前記第１メモリ６１４内の前記情報に基づいてロングコードの割当てを決定し、ロングコードＩＤ、専用／共用、最大使用時間、及びビットレートに関する該当情報を制御メッセージ上へ伝送する。
【００６０】
図４に示されているように、特定の移動局に逆方向共用チャンネルメッセージを拡散するための拡散コードを専用に指定する方法であって、前記移動局が自分のＥＳＮにより決定されたパブリックロングコードが使用できるように、前記基地局は、制御メッセージの専用／共用フィールドを専用に設定し、前記ロングコードＩＤフィールドを空けておく。前記制御メッセージを受信する移動局は、自分のＥＳＮを利用して前記パブリックロングコードマスクを生成し、前記パブリックロングコードマスクの使用により発生された固有ロングコードで前記逆方向共用チャンネルメッセージを拡散する。そうすると、前記移動局は、メッセージの衝突なくロングコードを専用に使用する。
【００６１】
移動局に専用に使用されるロングコードを割り当てる他の方法であって、前記基地局は、ロングコードＩＤのうち異なる移動局へ以前に割り当てられなかったロングコードＩＤのプール中のロングコードＩＤを選択し、前期選択されたロングコードＩＤを制御メッセージを通じて前記移動局へ伝送する。他の移動局からの信号と衝突なく該当移動局が前記逆方向共用チャンネルメッセージを伝送するようにするために、前記選択されたロングコードＩＤを使用するうち、他の移動局へ再び割り当てない。前記移動局が前記ロングコードＩＤを使用している間、前記基地局は、前記移動局が前記ロングコードＩＤを効率的に専用に使用するように、同一のロングコードＩＤを他の移動局へ割り当てない。
【００６２】
また、前記移動局へロングコードを共用に割り当てるために、前記基地局は、図４に示される制御メッセージの専用／共用フィールドを共用に設定する。そして、別途に準備されたロングコードＩＤから特定の移動局へ専用に指定されない１つのロングコードを選択して前記ロングコードＩＤフィールドを伝送する。前記基地局が共用ロングコードを他の移動局へ割り当てる必要がある場合、使用中のロングコードを前記移動局へ再び割り当てることができる。移動局のクラス及びサービスの品質に従って、前記同一のロングコードを使用する移動局の数を調節することにより、前記同一のロングコードの割当てにより発生する衝突の可能性が異なる。
【００６３】
共用ロングコードの割当ては、既存のアクセスチャンネル番号を含む順方向共用チャンネルメッセージを伝送することにより行われる。すなわち、通報されない追加アクセスチャンネル番号がない場合、前記専用／共用フィールドを共用に設定し、前記ロングコードＩＤフィールドを空けておけば、前記移動局は、従来な方式でアクセスチャンネルロングコードが使用されるように決定する。このような方法は、前記のような方法を使用する準専用（ｓｅｍｉ−ｄｅｄｉｃａｔｅｄ）としての共用ロングコードが指定できる。また、共用ロングコードは、他の移動局が前記同一のロングコードを使用するのを防止しつつ、所定の時間の間移動局へ前記ロングコードを割り当てることにより専用モードで使用されることができる。
【００６４】
前記復調制御器６２０は、前記制御メッセージ発生器６１２からアクセスチャンネル関連情報を受信して、必要であれば、前記復調器６５１〜６５Ｎにロングコードを割当て、使用時間の経過したロングコードを使用する復調器の動作を中止させる。ロングコードの復調時間に対する検査は、前記復調制御器６２０内のタイマーを設定することにより行われる。また、前記復調制御器６２０は、受信可能なビットレートに従って復調器６５１〜６５Ｎの動作を制御して受信器６２６から受信された信号を信頼できるものとして復調可能である。
【００６５】
図７Ａは、図６のような基地局内の制御メッセージ発生器６１２の動作を、図７Ｂは、基地局内の復調制御器６２０の動作を示すフローチャートである。
【００６６】
図７Ａを参照すると、制御メッセージ発生器６１２は、ステップ７１１でメッセージ通信のとき、アクセスチャンネルに割り当てられたロングコードが移動局に対する変更を要求するか否かを決定する。ここで、前記ロングコードの変更は、共用チャンネル状態への進入、ロングコードの割当ての変更、応答メッセージロングコードの変更、または応答メッセージロングコードの使用時間の延長などのような場合に発生する。このとき、前記ロングコードの変更要因が発生すると、前記制御メッセージ発生器６１２は、ステップ７１３でロングコードのタイプが新たに割り当てられるように決定する。前記ロングコードのタイプには、専用、高いクラスの共用（準共用）、ノーマルクラスの共用などがある。ステップ７１５で、前記制御メッセージ発生器６１２は使用可能なロングコードがあるか否かを検査する。使用可能なロングコードがある場合、ステップ７１７で前記ロングコードが割り当てられるように決定し、使用可能なロングコードがない場合、ステップ７２３で一般共用アクセスチャンネルを指定するためのロングコードを割り当てる。該当ロングコードが決定された後、ステップ７１９でロングコード情報を含むパラメータを変調部６１６へ伝送する。また、ステップ７２１で、前記制御メッセージ発生器６１２は、前記ロングコード情報を復調制御器６２０に伝送し、ルーチンを終了する。
【００６７】
前記基地局において復調器の制御を示す図７Ｂを参照すると、ステップ７５１で、前記復調制御器６２０は、前記制御メッセージ発生器６１２からロングコード情報が受信されるか否かを決定する。ロングコード情報の受信の中、ステップ７５３で、前記復調制御器６２０は、前記ロングコードを復調するための復調器を指定する。その後、ステップ７５５で、前記復調制御器６２０はタイマーまたは状態遷移を検査する。前記タイマーのタイムアウトまたは状態遷移が発生すると、ステップ７５７で、割り当てられたロングコードを解除し、復調器の動作を中止させる。
【００６８】
移動局からのメッセージをアクセスチャンネル上へ伝送するために、受信された制御メッセージの専用／共用フィールドに従って異なる手順を遂行する。図８は、共用に指定されたアクセスチャンネルに対するアクセスチャンネルメッセージの伝送方法を示し、前記アクセスチャンネルが専用に指定される場合は、図９に示す手順に従う。
【００６９】
図１０Ａ及び図１０Ｂは、前記専用／共用フィールドに従ってアクセスチャンネルメッセージの伝送を示すフローチャートである。
【００７０】
図８乃至図１０Ｂを参照して本発明の実施形態に従うアクセスチャンネルメッセージの送信手順を説明する。
【００７１】
図８及び図９は、移動局がアクセスチャンネルを利用してメッセージ送信手順を遂行する過程を説明するための図である。
【００７２】
１つのメッセージを伝送及び受信（または受信できない）する場合、または、前記メッセージに対するアクノリッジメントをアクセス試みと呼び、アクセス試みで各伝送をアクセスプローブと呼ぶ。アクセスプローブは、プリアンブルとメッセージカプセルとからなる。前記アクセス試みの範囲内で、アクセスプローブは、アクセスプローブシーケンス（Ａｃｃｅｓｓ Ｐｒｏｂｅ Ｓｅｑｕｅｎｃｅ）にグループが形成される。夫々のアクセスプローブシーケンスは、所定数のアクセスプローブからなり、全体アクセス試みは、所定数のアクセスプローブシーケンスからなる。夫々のアクセスプローブシーケンスの第１アクセスプローブは、初期電力レベルに伝送され、そして、夫々の連続アクセスプローブは、以前のアクセスプローブより漸次に高くなる電力レベルに伝送される。
【００７３】
このとき、前記アクセスプローブシーケンス間の時間間隔（ＲＳ）は、アクセスチャンネルのタイプ（専用または共用チャンネル）に従って異なって設定される。共用アクセスチャンネルの場合、前記時間間隔は、図８に示すようにランダム関数により決定され、専用アクセスチャンネルの場合、図９に示すように常数（すなわち、ＴＡ）で決定される。また、アクセスプローブシーケンスのアクセスプローブ間の時間間隔（ＴＡ＋ＲＴ）もアクセスチャンネルのタイプによって変化する。共用アクセスチャンネルに対しては、図８に示すように、ランダム関数により決定され、一方、専用アクセスチャンネルに対しては常数で決定される。前記常数は０になることができる。図８を参照すると、各アクセスプローブを伝送した後、前記移動局は、アクノリッジメントを受信するために、特定の期間ＴＡを待機する。アクノリッジメントが受信されると、前記アクセス試みが成功的に終了し、アクノリッジメントが受信されないと次のアクセスプローブは、追加バックオフディレイＲＴの後伝送される。ここで、バックオフは、アクセスプローブ間の間隔で定義される。終わりのない衝突を避けるために、値がランダム値にならなければならない。図８において、ＲＴは第１待機時間、ＲＳは第２待機時間であると仮定する。また、前記第１待機時間を指定する常数を第１常数、前記第２待機時間を指定する常数を第２常数であると仮定する。
【００７４】
図１０Ａ及び図１０Ｂは、図８及び図９に従ってメッセージ伝送を遂行するための手順を示すフローチャートである。
【００７５】
図１０Ａを参照すると、前記送信制御器５５１は、ステップ１００２で専用／共用フィールド値が前記制御メッセージ解析器５１５から受信されるか否かを決定する。前記専用／共用フィールド値が受信されると、ステップ１００４で受信されたパラメータを貯蔵し、ステップ１００６で、前記送信制御器５５１は、伝送準備信号（Ｔｘ Ｒｅａｄｙ）がメッセージバッファ５５３から発生するか否かを決定する。前記メッセージバッファ５５３は、上位プロセッサからアクセスチャンネル上へ伝送するメッセージが発生する場合、前記アクセスチャンネルメッセージを貯蔵し、前記送信制御器５５１に伝送する準備ができたことを知らせる。  まず、前記伝送準備信号（Ｔｘ Ｒｅａｄｙ）が受信されると、前記送信制御器５５１は、ステップ１００８でプローブ番号（Ｐｒｏｂｅ＿Ｎｏ）及びシーケンス番号（Ｓｅｑｕｅｎｃｅ＿Ｎｏ）を０に初期化し、アクセスチャンネルメッセージの伝送電力レベルを設定する。この後、ステップ１０１０で、前記送信制御器５５１は、前記メッセージバッファ５５３へアクセスプローブ伝送コマンドを出力し、送信器５３３へ現在の電力レベルを出力する。ステップ１０１２で、前記送信制御器５５１は、前記プローブ番号を１増加させ、アクノリッジメント期間を検査するためのＡＣＫタイマーを設定する。そして、前記基地局からアクノリッジメントを待機する。前記ＡＣＫタイマーは、前記アクセスチャンネルメッセージの伝送の後、移動局が前記アクノリッジメントを待機する期間ＴＡで設定される。
【００７６】
その後、前記メッセージバッファ５５３は、現在貯蔵されているアクセスチャンネルメッセージを出力し、チャンネルエンコーダ及び直交変調器５２５は、前記アクセスチャンネルメッセージがチャンネル符号化及び直交拡散を行うようにして、ＰＮ拡散器５３１は、前記ロングコード発生器５２１により発生されたロングコード及びＰＮ拡散シーケンスにより前記拡散したアクセスチャンネルメッセージを拡散する。そして、前記送信器５３３は、前記送信制御器５５１により指定された電力レベルで前記アクセスチャンネルメッセージをＲＦ信号の形態で伝送する。
【００７７】
前記基地局のアクセスチャンネル受信器が前記アクセスチャンネルメッセージを受信するとき、ページングチャンネル送信器を通じてアクノリッジメントメッセージを伝送する。ステップ１０１４で、前記送信制御器５５１は、前記アクノリッジメントが前記制御メッセージ発生器５１５から受信されるか否かを決定する。前記アクノリッジメントの受信のとき、ステップ１０１６で、前記送信制御器５５１は、前記メッセージバッファ５５３へクリア信号を出力する。その後、前記メッセージバッファ５５３は、前記クリア信号に応答して内部に貯蔵中のメッセージをクリアし、次の状態に備える。
【００７８】
しかし、ステップ１０１４及びステップ１０１８で、前記ＡＣＫタイマーに設定された時間が経過するときまで、アクノリッジメントが受信されない場合、前記送信制御器５５１は、基地局が前記アクセスチャンネルメッセージの受信に失敗したと判断し、前記アクセスチャンネルメッセージを再び伝送しようと試みる。このような場合、ステップ１０２０で、前記送信制御器５５１は、アクセスプローブシーケンスで現在のプローブ番号が最大プローブ番号より大きいか否かを決定する。現在のプローブシーケンス番号が現在のアクセスプローブシーケンス内にある場合、ステップ１０２２で、前記送信制御器５５１は、前記アクセスチャンネルメッセージを再び伝送するためのランダム時間ＲＴを設定するために、ステップ１００４で貯蔵されたパラメータに基づいて、現在のアクセスチャンネルメッセージを伝送するアクセスチャンネルが専用または共用チャンネルとして指定されたか否かを決定する。
【００７９】
共用アクセスチャンネルの場合は、ランダム時間ＲＴをランダム関数で決定し、専用アクセスチャンネルの場合は、前記ランダム時間ＲＴを所定の常数で決定する。ここで、前記常数は０であることもある。前記共用アクセスチャンネル上のアクセスチャンネルメッセージは、時間間隔ＲＴごと反復して伝送される。前記ＴＡは、多数の移動局が共用アクセスチャンネルの使用を試みるので、連続メッセージ衝突を避けるためのものとして定義される。それに比べて、特定の移動局または少数の移動局が専用アクセスチャンネルの使用を試みるので、前記アクノリッジメント時間の後、ランダム時間により伝送を遅延させる必要がない。従って、前記ランダム時間ＲＴを所定の常数として設定する。このとき、前記ランダム時間ＲＴは、ランダム関数によりランダムに決定され、前記ランダム関数は、ハッシュ関数（Ｈａｓｈ Ｆｕｎｃｔｉｏｎ）になることができる。前記ランダム時間ＲＴは、前記共用チャンネル及び専用チャンネルの夫々に対してステップ１０２４及びステップ１０２６で決定される。そして、ステップ１０２８でプローブバックオフタイマー（Ｐｒｏｂｅ＿Ｂａｃｋｏｆｆ＿Ｔｉｍｅｒ）はＲＴで設定される。
【００８０】
そして、前記送信制御器５５１は、前記時間ＴＡ＋ＲＴの間待機した後、ステップ１０３２で、電力レベルを増加させる。その後、ステップ１０１０へ戻ってアクセスチャンネルメッセージを再び伝送する。前記アクセスチャンネルメッセージを前記のような過程を反復して伝送する間、ステップ１０２０で該当アクセスプローブシーケンス内に受信されたアクノリッジメントがない場合、ステップ１０３４（図１０Ｂを参照）で、前記送信制御器５５１は、プローブ番号を０に設定し、アクセスプローブシーケンス番号を１増加させ、送信電力レベルを初期値に設定する。
【００８１】
図１０Ｂのステップ１０３６で、前記送信制御器５５１は、アクセスプローブシーケンス間の時間間隔ＲＳを決定するために、現在アクセスチャンネルメッセージを伝送するアクセスチャンネルが共用または専用で指定されるかを決定する。このような決定は、ステップ１００４から得られたパラメータ値による。前記送信制御器５５１は、前記共用アクセスチャンネルに対して、ステップ１０３８でＲＳをランダム関数を遂行した結果の時間で設定し、専用アクセスチャンネルに対しては。ステップ１０４０で所定の常数値で設定する。従って、前記共用アクセスチャンネルの場合、前記時間ＲＴ及びＲＳはランダム関数により得られ、専用アクセスチャンネルの場合、前記時間ＲＴ（ＲＴは０であることができる）及びＲＳは所定の常数である。
【００８２】
この後、ステップ１０４２及びステップ１０４４で、前記送信制御器５５１は、シーケンスバックオフタイマー（Ｓｅｑｕｅｎｃｅ＿Ｐｒｏｂｅ＿Ｂａｃｋｏｆｆ＿Ｔｉｍｅｒ）をＲＳで設定した後、時間ＲＳの経過の間待機する。前記時間ＲＳが経過すると、ステップ１０４６で、前記送信制御器５５１は、現在のシーケンス番号が最大シーケンス番号より小さいか否かを決定する。小さい場合、ステップ１０１０へ戻って次のアクセスチャンネルメッセージを次のシーケンスへ伝送する。現在のシーケンス番号が最大シーケンス番号より小さくないと、ステップ１０４８でアクセスフェイルフラグ（Ａｃｃｅｓｓ Ｆａｉｌ Ｆｌａｇ）を設定してアクセスチャンネルメッセージの伝送が失敗したことを表示し、ルーチンを終了する。
【００８３】
前記のように、アクセスチャンネルが専用または共用で指定されるかに従って、ＲＳ及びＲＴはランダムに決定されるか、または、所定の常数になる。
【００８４】
前記アクセスチャンネルは前述したような方法で使用され、ロングコード割当てについて詳細に説明すると、下記のようである。
【００８５】
アクセスチャンネルの使用のためには、ロングコードを多数割り当てられる。相互に異なるロングコードを使用する移動局は、同時にメッセージを伝送しても衝突が発生しない。しかし、相互に同一のロングコードを共有する移動局は、同時にメッセージを伝送すると、衝突によりメッセージを失うこともある。そこで、アクセスチャンネルロングコードを移動局に効率的に割り当てる方法を要求する。
【００８６】
前記基地局が移動局に共用チャンネルロングコードを追加的に割り当てる場合があるが、（１） パケットサービスで専用チャンネル状態から共用チャンネル状態へ遷移する場合、（２） 共用チャンネル状態で、以前に割り当てられたアクセスチャンネルロングコードの変更、及び新たに割り当てられたロングコードの連続的な使用を許可する場合、（３） 以前に割り当てられたアクセスチャンネルロングコードの変更及び制限された時間の間新たに割り当てられたロングコードの使用を許可する場合、がある。
【００８７】
まず、共用チャンネルの使用状態への進入時、ロングコード割当ては、基地局との通信を初期化する移動局にも適用される。専用チャンネル状態が共用チャンネル状態へ遷移する直前が順方向制御メッセージを通じてアクセスチャンネルパラメータが伝送される時点になる。すなわち、前記専用チャンネル状態から共用チャンネル（アクセスチャンネル）への状態遷移になる時点で、前記基地局は、前記移動局にロングコードを割り当てる。前記基地局が図４の制御メッセージによりロングコードを割り当てることができるが、これはかならず必要なものではない。このような追加ロングコードの割当てが遂行されるべきであるかどうかは、前記移動局に提供されているサービスのタイプ及び品質に従って決定される。前記移動局は、ロングコード情報をメモリ５１９に貯蔵しておいて、アクセス試みのとき使用する。割り当てられたロングコードでアクセスチャンネルを通じた通信が失敗する場合、呼のセットアップのために初期段階にすでに使用された既存の割り当てられたロングコードに該当するアクセスチャンネルが再び使用できる。
【００８８】
本発明の一実施形態において、前記基地局は、パケットサービスの共用チャンネル状態で前記移動局へ以前に割り当てられたアクセスチャンネルロングコードを順方向制御メッセージを通じて変更できる。このような場合、前記パケットサービスが共用チャンネル状態にあるかぎりは、新たに割り当てられたロングコードをそのまま適用するので、最大使用時間が指定されない。
【００８９】
ページングチャンネルを通じて受信された基地局のメッセージに対する応答メッセージを伝送するためにロングコードを制限された区間で割り当てられる。前記基地局が共用チャンネル状態で前記移動局からの応答メッセージを要求する場合、前記基地局は、順方向制御メッセージを通じて応答メッセージが伝送されるアクセスチャンネルを表示するロングコードを割り当てる。そうすると、前記移動局は、前記制御メッセージにより指定された専用または共用アクセスチャンネル上へ前記応答メッセージを伝送する。このような場合は、応答メッセージの伝送に必要な時間の間割り当てられたロングコードを使用するので、最大使用時間が設定される。前記応答メッセージが長くて１つのアクセスチャンネルスロットを超過する場合、連続するアクセスチャンネルスロットに対するロングコードの割当ては、以前のスロットに対するアクノリッジメントに継続表示（ｃｏｎｔｉｎｕａｔｉｏｎ ｉｎｄｉｃａｔｉｏｎ）を行うことにより実現できる。
【００９０】
図１１は、このようにアクノリッジメントメッセージに継続表示を使用して３つのスロットからなる応答メッセージを伝送する場合を示す。すなわち、連続するアクセスチャンネルスロットに対するロングコードの割当ては、以前のアクセスチャンネルスロットを割り当てるために伝送された順方向アクノリッジメントメッセージに、ロングコード情報を継続表示と取り替えることにより行われることができる。
【００９１】
また、前記ロングコードの割当てタイプには２つがあるが、１つは、ロングコードを専用で指定することである。このために、専用／共用フィールドを専用で設定する。前記移動局は、移動局の固有ロングコード（Ｐｅｒｍｕｔｅｄ ＥＳＮにより決定されたパブリックロングコードマスクから生成されたもの）、またはロングコードＩＤフィールドに特定のロングコードＩＤが存在する場合、前記ロングコードＩＤフィールドにより割り当てられたロングコードを専用アクセスチャンネルロングコードとして使用する。後者の場合、前記移動局が前記ロングコードＩＤを使用している間は、他の移動局に前記特定のロングコードＩＤを再び割り当てない。このような方法は、前記基地局及び移動局の複雑度を増加させることなく、衝突ない（ｃｏｎｔｅｎｔｉｏｎ−ｆｒｅｅ）アクセスチャンネルを提供し、伝送遅延を減少させる。また、基地局内の復調部６２４の復調器プール（ｐｏｏｌ）の活用度が増加する。アクセスチャンネルメッセージを拡散するために前記移動局の固有ロングコードを使用することは、パケットサービスが該当する固有ロングコードを保存している状態または前記基地局に前記固有ロングコード情報を通報する場合にのみ有効である。
【００９２】
専用コードチャンネルを使用する場合、前記基地局へアクセスチャンネルメッセージを伝送するためのアクセスプローブ間の時間間隔は、図９に示すように常数として設定可能である。
【００９３】
ロングコードを割り当てる他のタイプは、チャンネルクラスに従うアクセスチャンネルの割当てである。
【００９４】
このようなロングコードの割当て方法は、各ロングコードに対して移動局の数を制限して変更する。その結果、サービスタイプによってサービスクラスが変化する。すなわち、衝突確率は、チャンネルを使用する移動局の数に比例するので、チャンネルクラスは、衝突確率に基づいて決定される。極端的な場合、１つの移動局に割り当てられたチャンネルは専用チャンネルとして機能し、すべての移動局の共有したチャンネルは、既存のシステムで使用された共用チャンネルと同一の意味である。例えば、実時間または即時の処理（例えば、ビデオ信号）を要求するサービスには上位チャンネルを割当て、ややの時間遅延の許容または下位優先順位（例えば、ｅ−ｍａｉｌ）を有するサービスには下位チャンネルを割り当てる。
【００９５】
また、ビットレートを設定することによりアクセスチャンネルのアクセス効率が向上させられる。これを多重ビットレートのアクセスチャンネル割り当てであるとする。ここで、順方向制御メッセージのフィールドで前記アクセスチャンネル上へデータを伝送するために使用されるビットレートを設定することによりアクセスチャンネルのビットレートを制御する。それにより、応答メッセージの迅速な伝送、応答時間の変動減少、及び移動局復調器の使用効率が増大するという利点が得られる。ここで、前記ビットレートは、ロングコードの割当てタイプに関係なく設定可能である。
【００９６】
次に、前記共用チャンネル上へメッセージを連続的に伝送する動作を説明する。移動局が一回に伝送可能な長さを超過するアクセスチャンネルメッセージを伝送する場合、他のアクセスチャンネルメッセージとの衝突が発生されられる。言い換えれば、前記移動局が多数のスロットでアクセスチャンネルメッセージを伝送すべきである場合、他の移動局間のメッセージ衝突によるメッセージ伝送が遅延する。最悪の場合には、アクセスチャンネルメッセージの損失が発生する。従って、移動局が多数のスロットでアクセスチャンネルメッセージを伝送する場合、現在のアクセスチャンネルメッセージに伝送する他の連続メッセージがあることを表示する継続フラグ（ｃｏｎｔｉｎｕａｔｉｏｎ ｆｌａｇ）を付け加える。このようなアクセスチャンネルメッセージのフォーマットは次のようである。
【表４】
0003553500.tif 000005
【００９７】
メッセージタイプは応答またはアクセスチャンネルメッセージを、継続フラグは、伝送される次のメッセージが存在するか否かを、チャンネル指定要求フラグ（ｄｅｓｉｇｎａｔｉｏｎ＿ｒｅｑｕｅｓｔ＿ｆｌａｇ）は、チャンネル指定要求があるか否かを表示する。そして、データは、アクセスチャンネルメッセージの実際データとして、応答データまたは移動局から基地局へ伝送されるデータである。
【００９８】
基地局から移動局へアクセスチャンネルを通じた連続メッセージの伝送動作を説明する。前記基地局の制御メッセージ発生器６１２は、復調部６２４からのアクセスチャンネルメッセージまたは上位メッセージ処理部からの移動局のページングメッセージを受信するとき、制御メッセージを発生して、これを前記移動局へ伝送する。そうすると、前記移動局の制御メッセージ解析器５１５は、前記制御メッセージを分析してアクセスチャンネルを通じて応答メッセージを前記基地局へ伝送する。
【００９９】
このとき、前記移動局は、前記応答メッセージがあまりに長くて一回に伝送できない場合、表４のように、応答メッセージフレームに連続フラグを設定して伝送する。そうすると、前記基地局内の制御メッセージ発生器６１２及び復調制御器６２０は、図７Ａ及び図７Ｂに示す手順で移動局からのアクセスチャンネルメッセージの伝送を制御する。
【０１００】
図１１及び図１２は、移動局から基地局へアクセスチャンネルを通じて多数のメッセージフレームを連続して伝送することを示す。
【０１０１】
図１１において、前記移動局は、同一のロングコードＩＤを使用する多数のスロットでアクセスチャンネル上の応答メッセージを伝送する。前記アクセスチャンネルは、共用または専用で指定されられる。このような場合、前記基地局が移動局の初期アクセスチャンネルを割り当てると、前記移動局は、割り当てられた同一のアクセスチャンネル上へ多数のアクセスチャンネルメッセージフレームを連続して伝送する。しかし、前記ロング応答メッセージを異なるロングコードＩＤを使用して伝送できる。図１２に示すように、基地局から他の基地局へハンドオフが発生すると、前記基地局は、前記移動局へアクセスチャンネルが指定できる。図１１及び図１２において、ｐａｒｔ１、ｐａｒｔ２、及びｐａｒｔ３は、前記移動局から伝送されたアクセスチャンネルメッセージが３つのフレームを占めるという仮定の下に連続メッセージを表示する。前記基地局は、前記移動局からの多数のフレームからなるアクセスチャンネルメッセージを伝送するために、ロングコードＩＤを割り当て、最大使用時間を変更することにより、チャンネル持続時間を延長させる。
【０１０２】
前述したように、前記基地局は、前記移動局から受信されたメッセージの連続フラグを分析することにより、受信される次のメッセージが存在するか否かを決定する。受信される他のメッセージが存在する場合、現在ロングコードを変更するか否かを決定する。現在ロングコードの分析の後、使用可能なロングコードが存在する場合、該当ロングコードＩＤを含むアクノリッジメントメッセージを出力する。前記移動局からメッセージを受信するたびに、前記手順を反復遂行する。従って、メッセージを受信するために割り当てられたチャンネルは、同一または異なるチャンネルであることができる。すなわち、前記基地局は、必要に応じて同一または異なるチャンネルが指定できる。
【０１０３】
前記移動局が前記アクセスチャンネルを専用で指定するためのロングコードＩＤを独立的に備える場合、前記基地局がロングコードを割り当てなくても、前記移動局はアクセスチャンネルを専用で使用できる。
【０１０４】
図１３は、基地局と移動局との間のメッセージ通信を示す。図１３を参照すると、前記移動局は、自分の固有ロングコード情報を有するアクセスチャンネルメッセージを前記基地局へ伝送し、前記基地局は、図４に示すように、専用／共用フィールドを専用で設定し、制御メッセージにロングコードＩＤを設定しない。ここで、前記固有ロングコードは、前記移動局のＥＳＮ（Ｅｌｅｃｔｒｏｎｉｃ Ｓｅｒｉａｌ Ｎｕｍｂｅｒ）により決定される。
【０１０５】
前述したように、本発明の実施形態に従うアクセスチャンネルデータ通信装置は、衝突確率の調節、速い応答、及び多重ビットレートを有するアクセスチャンネルが実現できる。また、メッセージがあまりに長くて一回にアクセスチャンネル上へ伝送できない場合、多数のスロットを要求するメッセージを連続して伝送するために、特定のアクセスチャンネルを指定する。これにより、メッセージの伝送遅延が防止できる。さらに、基地局がロングコードＩＤを移動局へ割り当てる必要もなく、前記移動局は、自分の固有ロングコードにより専用で指定されたアクセスチャンネル上へアクセスチャンネルメッセージが伝送できる。
【０１０６】
以上、本発明を特定の実施形態を参照して詳細に説明してきたが、これらに限定されるものではなく、本発明の思想及び範囲を逸脱しない限り、当該技術分野における通常の知識を持つ者ならば多様な変更が可能であることは自明である。
【図面の簡単な説明】
【図１】Ａ，Ｂともに、従来の通信システムにおけるメッセージ交換を示す図である。
【図２】通信システムにおけるパケットサービス状態遷移図である。
【図３】Ａ，Ｂともに、本発明の実施形態に従う移動局と基地局との間にアクセスチャンネルメッセージの通信手順を示す図である。
【図４】本発明の実施形態に従う通信システムにおける順方向リンクの制御メッセージフォーマットを示す図である。
【図５】本発明の実施形態に従う通信システムにおける共用チャンネルメッセージの伝送のための移動局のブロック図である。
【図６】本発明の実施形態に従う通信システムにおける共用チャンネルメッセージの伝送のための基地局のブロック図である。
【図７】Ａ，Ｂともに、本発明の実施形態に従う通信システムの基地局で制御メッセージの発生及び復調器の制御を夫々示すフローチャートである。
【図８】多数の移動局により使用される共用チャンネルのメッセージ伝送手順を示す図である。
【図９】特定の移動局に専用に指定された共用チャンネル上のメッセージ伝送手順を示す図である。
【図１０】Ａ，Ｂともに、本発明の実施形態に従う通信システムにおいて、移動局から共用チャンネルメッセージを伝送するフローチャートである。
【図１１】本発明に従う通信システムにおける基地局と移動局との間で、共用チャンネルメッセージを連続して伝送する実施形態を示すフローチャートである。
【図１２】本発明に従う通信システムにおける基地局と移動局との間で共用チャンネルメッセージを連続して伝送する他の実施形態を示すフローチャートである。
【図１３】本発明の実施形態に従う通信システムにおいて、割り当てられた固有ロングコードを使用して特定の移動局に専用に指定されたアクセスチャンネル上のメッセージ伝送を示すフローチャートである。
【符号の説明】
２１  パケット無効状態
２２  初期化状態
２３  動作状態
２４  制御保持状態
２５  保留状態
２６  休止状態
２７  再連結状態
３１  制御メッセージ
３２  応答メッセージ
３４  基地局
３６  移動局
４１  制御メッセージフィールド
４２  専用／共用フィールド
４３  パラメータ存在フィールド
４４  ロングコードＩＤ
４５  最大使用時間
４６  ビットレート
５１１  受信器
５１３  復調器
５１５  制御メッセージ解析器
５１７  ロングコード制御器
５１９  メモリ
５２１  ロングコード発生器
５２３  伝送率制御器
５２５  チャンネルエンコーダ及び直交変調器
５２７，５２９  乗算器
５３１  ＰＮ拡散器
５３３  送信器
５５１  送信制御器
５５３  メッセージバッファ
６１２  制御メッセージ発生器
６１４  第１メモリ
６１６  変調器
６１８  送信器
６２０  復調制御器
６２２  第２メモリ
６２４  復調部
６２６  受信器
６５１〜６５Ｎ  復調器
【図１Ａ】
0003553500.tif 000006
【図１Ｂ】
0003553500.tif 000007
【図２】
0003553500.tif 000008
【図３Ａ】
0003553500.tif 000009
【図３Ｂ】
0003553500.tif 000010
【図４】
0003553500.tif 000011
【図５】
0003553500.tif 000012
【図６】
0003553500.tif 000013
【図７Ａ】
0003553500.tif 000014
【図７Ｂ】
0003553500.tif 000015
【図８】
0003553500.tif 000016
【図９】
0003553500.tif 000017
【図１０Ａ】
0003553500.tif 000018
【図１０Ｂ】
0003553500.tif 000019
【図１１】
0003553500.tif 000020
【図１２】
0003553500.tif 000021
【図１３】
0003553500.tif 000022